(57)【要約】【課題】  効率的に打音を減衰することができ、高級感のあるＦＲＰ浴槽を提供する。【解決手段】  平面の外形が長辺と短辺を有する略矩形に形成されるＦＲＰ製の浴槽１の、長辺側の側壁２に制振部３を設ける。浴槽１の側壁２のうち、長辺側の側壁２ａは短辺側の側壁２ｂよりもスパンが長くて剛性が低く振動し易いので、制振部３を長辺側の側壁２ａに設けることによって、小さい面積の制振部３で側壁２の振動を効率高く減衰させて、打音の残響音が長く残ることをより確実に防ぐことができる。【選択図】  図１
2007029397.tif 000002
【特許請求の範囲】
【請求項１】
平面の外形が長辺と短辺を有する略矩形に形成されるＦＲＰ製の浴槽の、長辺側の側壁に制振部を設けて成ることを特徴とするＦＲＰ浴槽。
【請求項２】
制振部を、浴槽の長辺側の側壁の高さ方向の半分以上の位置に設けて成ることを特徴とする請求項１に記載のＦＲＰ浴槽。
【請求項３】
制振部を、浴槽の長辺側の側壁の幅方向の中央部に設けて成ることを特徴とする請求項１又は２に記載のＦＲＰ浴槽。
【請求項４】
制振部の面積が、浴槽の長辺側の側壁の上半分の面積の２５％以上であることを特徴とする請求項２又は３に記載のＦＲＰ浴槽。
【請求項５】
粘弾性層と、粘弾性層の表面に積層され粘弾性層の変形を拘束する拘束層とを備えて形成される制振材を、浴槽の長辺側の側壁の外面に貼り付けて、制振部を設けて成ることを特徴とする請求項１乃至４のいずれかに記載のＦＲＰ浴槽。
【請求項６】
制振塗料を浴槽の長辺側の側壁の外面に塗装して、制振部を設けて成ることを特徴とする請求項１乃至４のいずれかに記載のＦＲＰ浴槽。
【請求項７】
浴槽の長辺側の側壁の肉厚内に、粘弾性材料からなる制振層を形成して、制振部を設けて成ることを特徴とする請求項１乃至４のいずれかに記載のＦＲＰ浴槽。
【発明の詳細な説明】
【技術分野】
【０００１】
本発明は、ＦＲＰ製の浴槽に関するものである。
【背景技術】
【０００２】
浴槽として、アクリル樹脂を使用して注型成形することによって製造される、いわゆる人造大理石浴槽が従来から提供されているが、この人造大理石浴槽は製造時間が長く必要で生産性等に問題がある。
【０００３】
このため、プレス成形によって短時間で製造が可能であり、強度が高く化学的安定性に優れたＦＲＰ製の浴槽が、日本国内における浴槽販売台数の多くを占めている。
【０００４】
しかし、ＦＲＰ製の浴槽は人造大理石と比較して、入浴中に浴槽に手が当たったときなどに発生する音の減衰特性が低く、打音が長く響くことになるため、これが高級感に欠ける一因となっている。
【０００５】
そこで、浴槽に制振材を設けることによって、打撃音を減衰させ、このような問題を解消することが試みられている（例えば、特許文献１等参照）
【特許文献１】特開２００１−０４６２５９号公報
【発明の開示】
【発明が解決しようとする課題】
【０００６】
上記のようにＦＲＰ浴槽に制振材を設けて打音を減衰させるにあたって、ＦＲＰ浴槽のどの部位に制振材を設けるかによって、減衰特性が異なり、必ずしも効率的に打音を減衰することはできないという問題があった。
【０００７】
本発明は上記の点に鑑みてなされたものであり、効率的に打音を減衰することができ、高級感のあるＦＲＰ浴槽を提供することを目的とするものである。
【課題を解決するための手段】
【０００８】
本発明の請求項１に係るＦＲＰ浴槽は、平面の外形が長辺と短辺を有する略矩形に形成されるＦＲＰ製の浴槽１の、長辺側の側壁２に制振部３を設けて成ることを特徴とするものである。
【０００９】
また請求項２の発明は、請求項１において、制振部３を、浴槽１の長辺側の側壁２の高さ方向の半分以上の位置に設けて成ることを特徴とするものである。
【００１０】
また請求項３の発明は、請求項１又は２において、制振部３を、浴槽１の長辺側の側壁２の幅方向の中央部に設けて成ることを特徴とするものである。
【００１１】
また請求項４の発明は、請求項２又は３において、制振部３の面積が、浴槽１の長辺側の側壁２の上半分の面積の２５％以上であることを特徴とするものである。
【００１２】
また請求項５の発明は、請求項１乃至４のいずれかにおいて、粘弾性層４と、粘弾性層４の表面に積層され粘弾性層４の変形を拘束する拘束層５とを備えて形成される制振材６を、浴槽１の長辺側の側壁２の外面に貼り付けて、制振部３を設けて成ることを特徴とするものである。
【００１３】
また請求項６の発明は、請求項１乃至４のいずれかにおいて、制振塗料を浴槽１の長辺側の側壁２の外面に塗装して、制振部３を設けて成ることを特徴とするものである。
【００１４】
また請求項７の発明は、請求項１乃至４のいずれかにおいて、浴槽１の長辺側の側壁２の肉厚内に、粘弾性材料からなる制振層７を形成して、制振部３を設けて成ることを特徴とするものである。
【発明の効果】
【００１５】
本発明によれば、ＦＲＰ製の浴槽１の長辺側の側壁２に制振部３を設けることによって、剛性が低く振動し易い長辺側の側壁２の振動を減衰することができるものであり、小さい面積の制振部３で側壁２の振動を効率高く減衰させて、打音の残響音が長く残ることをより確実に防ぐことができ、高級感のあるＦＲＰ浴槽を得ることができるものである。
【発明を実施するための最良の形態】
【００１６】
以下、本発明を実施するための最良の形態を説明する。
【００１７】
浴槽１は、ＦＲＰによって製造されるものである。ＦＲＰとしては、ガラス繊維で強化された不飽和ポリエステル樹脂、エポキシ樹脂などの熱硬化性樹脂など任意のものを用いることができる。そして上面が開口する浴槽１は四周に側壁２を有して形成されるが、本発明において対象とする浴槽１は図１に示すように、平面形状が、対向する二辺が長辺となり、他の対向する二辺が短辺となった略矩形に形成されたものである。ここで、長辺と短辺の比が、短辺の長さを１とすると、長辺の長さが１．７〜２．４の範囲である浴槽１において、本発明は特に有効である。
【００１８】
図２は制振材６の一例を示すものであり、粘弾性層４の片面に拘束層５を積層して形成してある。粘弾性層４はゴム系、プラスチック系、アスファルト系などの粘弾性を有する材料で例えば１．４ｍｍ程度の厚みに形成されるものであり、また拘束層５はアルミニウムシートなどの伸縮しないシート材で例えば０．１ｍｍ程度の厚みに形成されるものであり、粘弾性層４の片面に拘束層５を接着して一体化することによって、シート状に制振材６を形成することができるものである。このようなシート状の制振材６としては、例えば市販の日東電工株式会社製の「レジェトレックス」などを使用することができる。
【００１９】
この制振材６を浴槽１の側壁２の外面（裏面）に、拘束層５と反対側の粘弾性層４の表面を接着することによって、浴槽１の側壁２に制振部３を設けることができるものである。そして、浴槽１に打撃などが加わって打音が発生する場合、側壁２が振動することによって打音の残響音が生じるが、側壁２の加振エネルギーは、側壁２の加振応力による変形から生じる制振材６の粘弾性層４の伸び悩みによって吸収され、側壁２の振動を減衰させて、打音の残響音が長く残ることを防ぐことができるものである。特に、制振材６の粘弾性層４は浴槽１の側壁２と拘束層５とによって両面が拘束されて固定されているので、加振応力による変形から生じる層間のずれ（せん断歪み）を利用して加振エネルギーが効率的に吸収されるものであり、側壁２の振動を効率高く減衰させて、打音の残響音が長く残ることをより確実に防ぐことができるものである。
【００２０】
ここで本発明は、制振部３を設ける箇所や制振部３の面積と制振効果との因果関係を明確化することによってなされたものであり、図１（ｂ）のように、浴槽１の長辺側の側壁２ａに制振部３を設けることが必要である。浴槽１の側壁２のうち、長辺側の側壁２ａは短辺側の側壁２ｂよりもスパンが長くて剛性が低く振動し易いので、制振部３をこのように長辺側の側壁２ａに設けることによって、振動を減衰する効果を高く得ることができるものであり、小さい面積の制振部３で側壁２の振動を効率高く減衰させて、打音の残響音が長く残ることをより確実に防ぐことができるものである。浴槽１において長辺側の側壁２ａは対向して二辺あるが、一方の側壁２ａにのみ制振部３を設けるようにしても、両方の側壁２ａに制振部３を設けるようにしても、いずれでもよい。
【００２１】
またこの長辺側の側壁２ａに制振部３を設けるにあたって、高さ方向の半分以上の高さ位置の領域、つまり側壁２ａの上半分の位置の領域に制振部３を設けるのが好ましい。側壁２ａは上端が開放されているので、側壁２ａのうち上半分が特に振動し易いものであり、このように側壁２ａの上半分の位置に制振部３を設けることによって、小さい面積の制振部３で側壁２ａの振動を効率高く減衰させて、打音の残響音が長く残ることをより確実に防ぐことができるものである。
【００２２】
さらに、このように長辺側の側壁２ａの上半分の位置に制振部３を設けるにあたって、この側壁２ａの水平方向での中央部の位置に制振部３を設けるのが好ましい。側壁２ａは端部よりも中央部において特に振動し易いものであり、このように側壁２ａの中央部の位置に制振部３を設けることによって、小さい面積の制振部３で側壁２ａの振動を効率高く減衰させて、打音の残響音が長く残ることをより確実に防ぐことができるものである。
【００２３】
そして、上記のように長辺側の側壁２ａの上半分の位置の中央部に制振部３を設けるにあたって、制振部３は、側壁２ａの上半分の面積の２５％以上の面積で設けるようにするのが好ましい。制振部３の面積が側壁２ａの上半分の面積の２５％未満であると、制振部３による振動減衰の効果が不十分になるおそれがある。制振部３の面積の上限は特に限定されるものではないが、側壁２ａの上半分の面積の１００％である。
【００２４】
上記の実施の形態では、粘弾性層４と拘束層５からなる制振材６を浴槽１の側壁２（長辺側の側壁２ａ）に貼り付けることによって制振部３を形成するようにしたが、浴槽１の側壁２の外面に液状の制振塗料を塗布して乾燥・硬化させることによって、制振塗料で制振部３を形成するようにしてもよい。制振塗料はアクリルエマルジョン、スチレンブタジエンラバーなどを配合して調製されるものであり、側壁２の外面に制振塗料を塗装することによって、側壁２の複雑な凹凸形状を有する箇所にも容易に制振部３を設けることができるものである。
【００２５】
また図３の実施の形態は、ＦＲＰ製の浴槽１の側壁２（長辺側の側壁２ａ）の肉厚内に制振層７を埋入させて設けることによって、浴槽１の側壁２に制振部３を形成するようにしたものである。制振層７はゴム系、プラスチック系、アスファルト系などの粘弾性材料からなるものであり、このものでは制振部３を浴槽１の側壁２の肉厚内に内蔵させることができるものである。
【実施例】
【００２６】
次に、本発明を実施例によって例証する。
【００２７】
図１の形状・寸法（単位ｍｍ）に形成した浴槽１を用い、浴槽１の打音減衰特性を測定した。測定は次のようにして行なった。まず、反響音を無視できるように無響を実現した環境に浴槽１を設置し、図５（ａ）のように、浴槽１の中央部において浴槽１の上面から５００ｍｍの高さ位置に集音マイク１１を配置する。そして図５（ｂ）のように紐１２に吊り下げた硬球１３を８０ｍｍの距離で引いて離すことによって、浴槽１の長手側の側壁２ａの幅方向の中央で且つ上端から１５０ｍｍ下側の箇所（図５（ａ）に×印で示す）に硬球１３を打撃させ、この打撃により生じた音を集音マイク１１で集音した。
【００２８】
まず、ＦＲＰ製の浴槽１と人造大理石製の浴槽１について、制振材６を用いないで打音減衰特性の測定を行ない、結果を表１に示す。ここで、図６（ａ）はＦＲＰ製の浴槽１の打音圧の経時変化を示すものであり、また図６（ｂ）は人造大理石製の浴槽１の打音圧の経時変化を示すものであり、図中に示す時間がＲＴ６０（Reverberation Time 60）法により算出した残響時間である。最大音圧発生から−３０ｄＢ低下するまでに必要とする時間を図より読み取り、その２倍値（最大音圧発生から−６０ｄＢ低下するまでに必要とする時間）を残響時間とするものであり、この残響時間によって打音の減衰特性を評価することができる。ＦＲＰ製浴槽１は残響時間が１．３２秒であるが、人造大理石浴槽１は残響時間が０．２０秒と短く、人造大理石浴槽１は振動減衰特性が高くてキレの良い音を発生していることが確認できるものである。
【００２９】
次に、制振材６として、日東電工株式会社製「レジェトレックスＤ−３００Ｎ」を用い、ＦＲＰ製の浴槽１の側壁２の種々の部位に図４のように制振材６を貼り付け、打音減衰特性の測定を行なった。
【００３０】
図４（ａ）は浴槽１の長辺側の側壁２ａの上半分の中央部に、側壁２ａの上半分の２５％の範囲の面積で制振材６を貼り付けたものである。
【００３１】
図４（ｂ）は浴槽１の長辺側の側壁２ａにおいて、その上半分の中央部に上半分の２５％の範囲の面積で、またその下半分の中央部に下半分の２５％の範囲の面積で、それぞれ制振材６を貼り付けたものである。
【００３２】
図４（ｃ）は浴槽１の長辺側の側壁２ａの下半分の中央部に、側壁２ａの上半分の２５％の範囲の面積で制振材６を貼り付けたものである。
【００３３】
図４（ｄ）は浴槽１の短辺側の側壁２ｂの上半分の中央部に、側壁２ｂの下半分の５０％の範囲の面積で制振材６を貼り付けたものである。
【００３４】
図４（ｅ）は浴槽１の長辺側の側壁２ａの上半分の中央部に、側壁２ａの上半分の５０％の範囲の面積で制振材６を貼り付けたものである。
【００３５】
図４（ｆ）は浴槽１の長辺側の側壁２ａの上半分の両側部にそれぞれ、側壁２ａの上半分の２５％の範囲の面積の制振材６を貼り付けたものである。
【００３６】
図４（ｇ）は浴槽１の長辺側の側壁２ａの上半分に、側壁２ａの上半分の１００％の範囲の面積で制振材６を貼り付けたものである。
【００３７】
図４（ｈ）は浴槽１の長辺側の側壁２ａの下半分に、側壁２ａの下半分の１００％の範囲の面積で制振材６を貼り付けたものである。
【００３８】
これらの測定結果を表１に示す。また図４（ａ）の浴槽１の打音圧の経時変化を図７（ａ）に、図４（ｂ）の浴槽１の打音圧の経時変化を図７（ｂ）に、図４（ｃ）の浴槽１の打音圧の経時変化を図８（ａ）に、図４（ｄ）の浴槽１の打音圧の経時変化を図８（ｂ）に、図４（ｅ）の浴槽１の打音圧の経時変化を図９（ａ）に、図４（ｆ）の浴槽１の打音圧の経時変化を図９（ｂ）に、図４（ｇ）の浴槽１の打音圧の経時変化を図１０（ａ）に、図４（ｈ）の浴槽１の打音圧の経時変化を図１０（ｂ）に、それぞれ示す。
【００３９】
【表１】
2007029397.tif 000003
【００４０】
表１にみられるように、図４（ａ）の浴槽１と図４（ｄ）の浴槽１の比較から、浴槽１の側壁２のうち、剛性の低い長辺側の側壁２ａに制振材６を貼り付けることによって、打撃時の発生音を効果的に減衰できることが確認される。
【００４１】
また図４（ａ）の浴槽１と図４（ｃ）の浴槽１の比較、図４（ｇ）の浴槽１と図４（ｈ）の浴槽１の比較から、浴槽１の長辺側の側壁２ａにおいて上半分に制振材６を貼り付けることによって、打撃時の発生音をより効果的に減衰できることが確認される。
【００４２】
また図４（ｅ）の浴槽１と図４（ｆ）の浴槽１の比較から、浴槽１の長辺側の側壁２ａの上半分において、中央部に制振材６を貼り付けることによって、打撃時の発生音をより効果的に減衰できることが確認される。
【００４３】
さらに図４（ａ）の浴槽１、図４（ｅ）の浴槽１、図４（ｇ）の浴槽１の比較から、浴槽１の長辺側の側壁２ａの上半分の全面に制振材６を貼り付ける必要はなく、側壁２ａの上半分の２５％に相当する面積量の制振材６を貼り付けることによって、人工大理石浴槽と同程度の減衰性能を十分に得られることが確認される。
【図面の簡単な説明】
【００４４】
【図１】本発明の実施の形態の一例を示すものであり、（ａ）は平面図、（ｂ）は正面図、（ｃ）は側面図である。
【図２】同上の制振材を示す断面図である。
【図３】本発明の他の実施の形態の一例を示す断面図である。
【図４】制振材の貼り付け位置及び面積を示すものであり、（ａ）〜（ｈ）はそれぞれ斜視図である。
【図５】浴槽の打音減衰特性を測定する方法を示すものであり、（ａ）は斜視図、（ｂ）は一部の斜視図である。
【図６】（ａ）は制振材を貼っていないＦＲＰ浴槽の打音圧の経時変化を示す図、（ｂ）は制振材を貼っていない人工大理石浴槽の打音圧の経時変化を示す図である。
【図７】（ａ）は図４（ａ）の浴槽の打音圧の経時変化を示す図、（ｂ）は図４（ａ）の浴槽の打音圧の経時変化を示す図である。
【図８】（ａ）は図４（ｃ）の浴槽の打音圧の経時変化を示す図、（ｂ）は図４（ｄ）の浴槽の打音圧の経時変化を示す図である。
【図９】（ａ）は図４（ｅ）の浴槽の打音圧の経時変化を示す図、（ｂ）は図４（ｆ）の浴槽の打音圧の経時変化を示す図である。
【図１０】（ａ）は図４（ｇ）の浴槽の打音圧の経時変化を示す図、（ｂ）は図４（ｈ）の浴槽の打音圧の経時変化を示す図である。
【符号の説明】
【００４５】
１  浴槽
２  側壁
３  制振部
４  粘弾性層
５  拘束層
６  制振材
７  制振層
【図１】
2007029397.tif 000004
【図２】
2007029397.tif 000005
【図３】
2007029397.tif 000006
【図４】
2007029397.tif 000007
【図５】
2007029397.tif 000008
【図６】
2007029397.tif 000009
【図７】
2007029397.tif 000010
【図８】
2007029397.tif 000011
【図９】
2007029397.tif 000012
【図１０】
2007029397.tif 000013